(57)【要約】      （修正有）【課題】トラフィックチャンネル条件によっては従来満足できなかった場合でも、外側ループ電力制御を維持する。【解決手段】トラフィック・チャネルに対する外側ループ電力制御は、選択されたチャネル条件が存在するときに、信号対ノイズ比など、適切な制御の閾値を判定するための、別のチャネルからの少なくとも１つの出力の使用を含む。トラフィック・チャネル条件の一例は、データ伝送が、パケット・エラー・レートの直接測定を行うのに不十分であることを含む。他のチャネル出力をいつ使うか判定するのに用いられる別のトラフィック・チャネル条件例は、トラフィック・チャネル上の伝送モードである。制御の閾値の設定に使われる出力例は、トラフィック・チャネルに関連づけられたパイロット・チャネルの、ノイズに対するチップ・エネルギー比である。【選択図】図１
2006109451.tif 000002
【特許請求の範囲】
【請求項１】
選択されたトラフィック・チャネル条件があるとき、他の少なくとも１つのチャネルの、選択された少なくとも１つの出力から、トラフィック・チャネル用の外側ループ電力制御の閾値を判定する工程を含む通信方法。
【請求項２】
前記他のチャネルが、前記トラフィック・チャネルに関連づけられたパイロット・チャネルを含み、前記パイロット・チャネルの前記選択された出力に基づいて、前記トラフィック・チャネルに対するパケット・エラー・レートを判定する工程を含む、請求項１に記載の方法。
【請求項３】
前記選択されたトラフィック・チャネル条件は、
前記トラフィック・チャネル上のデータ伝送量が、選択された量未満であること、または
前記トラフィック・チャネル上の伝送モードが、ブースト・モードもしくは通常伝送モード以外の別のモードであることの少なくとも一方を含む、請求項１に記載の方法。
【請求項４】
異なる別のトラフィック・チャネル条件があるとき、前記トラフィック・チャネルの選択された少なくとも１つの出力から、前記トラフィック・チャネル用の前記外側ループ電力制御の閾値を判定する工程を含む、請求項１に記載の方法。
【請求項５】
前記異なる別のトラフィック・チャネル条件は、データ伝送量が、前記選択された量を上回ること、および前記トラフィック・チャネル上の前記伝送モードが、前記通常伝送モードであることを含む、請求項４に記載の方法。
【請求項６】
前記トラフィック・チャネル上の伝送モードを判定することによって、前記選択されたトラフィック・チャネル条件が存在するときを判定する工程を含む、請求項１に記載の方法。
【請求項７】
連続して受信されたデータ・パケットが到着する間の時間を判定し、かつ
前記判定された時間から、各パケットの伝送回数を判定することによって、前記伝送モードを判定する工程を含む、請求項６に記載の方法。
【請求項８】
前記判定された伝送回数が最大数に近いとき、前記伝送モードが通常伝送モードであると判定する工程と、
前記伝送回数がほぼ１であるとき、前記伝送モードがブースト・モードであると判定する工程とを含む、請求項７に記載の方法。
【請求項９】
前記選択されたトラフィック・チャネル条件は、前記伝送モードが前記ブースト・モードであるときに存在する、請求項８に記載の方法。
【請求項１０】
選択された時間間隔中に、前記トラフィック・チャネル上のデータ伝送量を判定することによって、前記選択されたトラフィック・チャネル条件が存在するときを判定する工程を含む、請求項１に記載の方法。
【発明の詳細な説明】
【技術分野】
【０００１】
本発明は概して、遠隔通信に関する。
【背景技術】
【０００２】
通信システムは、配線接続された接続、ワイヤレス信号伝送、またはこの２つの組合せに基づき得る。一部のシステムは、音声通信を扱うことができる。一部のシステムは、データ通信を扱うことができる。一部のシステムは、複数のタイプの通信（すなわち、音声およびデータ）を扱うことができる。
【０００３】
データ通信システムにおいて、情報ビットは通常、１つのフレームまたはパケット形式にまとめられ、受信機に伝送される。受信されるパケットは、失われる場合も、たとえば、データ伝送用のチャネルにノイズがあるせいで、エラーを含む場合もある。パケット・エラー・レート（ＰＥＲ）は、エラーを含む受信パケットの割合である。
【０００４】
公知のシステムは、ある時間間隔中の、失われたまたはエラーのあるパケットの数をカウントすることによって、ＰＥＲを直接判定する。しかし、多くの状況では、直接計数法を用いてＰＥＲを適切に判定することができない。データ伝送の多くの取決めにおいて、伝送は、チャネルを越えては連続しない。データ伝送は、たとえばバースト性がある傾向にある。受信データ・パケットがない沈黙期間中、カウントされるものはなく、ＰＥＲを判定する基準もない。
【０００５】
ＰＥＲを判定するための直接計数が必ずしも信頼できる結果をもたらさない別の状況は、実際のＰＥＲが非常に小さい場合である。たとえば、ＰＥＲは、約１０−４または１０−５である。限られた時間間隔の中で、受信パケットの数は、ＰＥＲを正確に判定するのに十分な情報を提供する程大きくはない。
【０００６】
ＰＥＲは、チャネル品質およびシステム性能を示す重要な基準値である。ＰＥＲは、信号対ノイズ比（ＳＩＲ）を調整し、冗長性をもたらし、またはその両方を行うことによって、パケット・エラーの出現を削減するように制御することができる。公知のシステムは、ＰＥＲを、選択された目標より低く保つことを試みるように設計される。サービス品質と信号伝送電力の間には、一般にＰＥＲ目標の選択に影響するトレードオフがある。サービス品質と伝送電力の均衡をとるように適切な閾値またはＳＩＲを選択するのに、外側ループ電力制御が利用される。
【０００７】
前方誤り訂正（ＦＥＣ）および自動再送要求（ＡＲＱ）が、通信システムにおける従来のエラー保護方式である。送信機側で、エンコーダが、情報ビットをパリティ・ビットの形で保護するために冗長ビットを追加する。受信機側で、デコーダは、冗長ビットを探し、そうすることによって、ある程度の数のエラーを修正することができる。コード化システムは、インタフェースごとに比較的多くのチャネル・エラーを許容することができ、したがって、比較的低い伝送電力で動作し、比較的高いデータ・レートで伝送を行う余裕があり得る。ＡＲＱに対して、送信機は、受信機にパケットを送信する。受信機は、パケットを受信すると、エラー検出を実施して、パケットにエラーがあるかどうか判定する。受信機は、パケットが首尾よく受信されたかどうかを示す肯定応答を送信機に返信する。パケットが正しく受信されていない場合、送信機は、同じパケットを再伝送する。正しく受信されている場合、送信機は、送信機のバッファからパケットを削除し、次のパケットを処理する。
【０００８】
ハイブリッドＡＲＱ（ＨＡＲＱ）方式として知られる、ＦＥＣおよびＡＲＱ技術を組み合わせたものもある。２つの特有の技術、すなわちチェイス合成および増加的冗長性が、ＨＡＲＱにおいて公知である。元のデータ・パケットは、低レートのＦＥＣコードを有してコード化される。コード化されたパケットは次いで、複数のサブパケットに分割される。各サブパケットは、伝送用の単位として使われる。チェイス合成において、各サブパケットは、コード化された元のパケットと同じである。サブパケットが、エラーを有してデコードされた場合、次のサブパケットが伝送される。受信機側で、受信された複数のサブパケットが、最適に合成されデコードされる。増加的冗長性を有することによって、各サブパケットはそれぞれ異なるものであり、元のパケットの冗長性情報を有する。第１のサブパケットのデコードが正しくない場合、次のサブパケットが伝送される。受信機側で、受信された複数のサブパケットは、連結され、デコード用の１つのコード・ワードを形成する。一度の伝送においてより多くのサブパケットを使うと、受信機側で、より多くの冗長性情報を有するより長いコード・ワードが生じる。したがって、増加的冗長性技術による各伝送は、より高いエラー訂正機能のための追加冗長性情報を与える。
【０００９】
ワイヤレス通信システムにおいて、畳込みコードおよびターボ・コードが通常、ＦＥＣコードとして使われる。
【００１０】
コード化システムにおけるＰＥＲは、ノイズ・スペクトル密度に対するビット・エネルギーの比（Ｅｂ／Ｎｏ）、ＦＥＣコード・レート、ＡＲＱ方式、およびパケット・サイズに依存する。畳込みコードおよびターボ・コードに対するデコード・エラー確率は、解析的に計算するのが難しい。厳密なエラー確率を入手するのではなく、通常、妥当なレベルのデコード性能を反映するための限界が導出される。説明のために、トラフィック・チャネルでのデータ伝送は、一例ではワイヤレス通信を用いて起こる。この機能を有するシステムの一例が、１ｘＥＶ−ＤＶシステムであり、このシステムは、３ＧＰＰ２によって定義されている第３世代ＣＤＭＡ２０００標準である。
【００１１】
複数のチャネルが、１ｘＥＶ−ＤＶシステムにおける逆リンク上に構成されている。ユーザ・トラフィックを伝送する高速データ・チャネルは、逆リンク・パケット・データ・チャネル（Ｒ−ＰＤＣＨ）である。このチャネルでの伝送時間単位は一般に、スロットと呼ばれ、持続期間は１０ミリ秒であることが多い。ＦＥＣコードを有してコード化されたエンコーダ・パケットは、複数のサブパケットに分割される。各サブパケットは、１つのタイム・スロット中でスケジュールされ、伝送される。異なる様々なエンコーダ・パケット・サイズがある。公知のターボ・コードが、ＰＤＣＨ用のＦＥＣコードとして使われる。公知の畳込みコードは、基本チャネル（ＦＣＨ）および補助チャネル（ＳＣＨ）などのレガシー３Ｇ１ｘトラフィック・チャネル用に使われる。Ｒ−ＰＤＣＨでの伝送速度は通常、６．４ＫＢＰＳから最大１．８ＭＢＰＳまで変化し、移動局でのチャネル条件および入手可能なデータに従って動的に設定される。Ｒ−ＰＤＣＨでの異なる伝送速度は、異なるエンコーダ・サイズおよび変調方式の結果である。
【００１２】
一例では、ハイブリッドＡＲＱが、時間ダイバーシティおよびエラー性能の向上を探るためにＲ−ＰＤＣＨ上で用いられる。
【００１３】
逆リンク・パイロット・チャネル（Ｒ−ＰＩＣＨ）は、パイロット・シーケンスを絶えず送信するのに使われる。パイロット・シーケンスは、複数の２進数などの、一連の変調されていない公知の信号である。ＣＤＭＡスペクトル拡散システムにおいて、パイロット信号は、マルチパス構成要素特性を判定し、受信された信号のコヒーレント復調を助けるのに使われる。パイロット・チャネル上の伝送電力が、たとえば、他のチャネルに対する基準点として使われる。たとえばＲ−ＰＤＣＨは、一般に、Ｔ２Ｐ（トラフィック対パイロット）比と呼ばれる、パイロット・チャネルの伝送電力に対する固定オフセットを有する。
【００１４】
あるＣＤＭＡシステムでは、たとえば、トラフィック・チャネルのＰＥＲを一定の目標未満に保つことが望ましい。一例では、１％のＰＥＲにより、妥当な品質のユーザ・データ・サービスが維持される。トラフィックＳＩＲの調整により、ＰＥＲの制御が維持される。たとえばＰＥＲが高すぎる場合、目標ＳＩＲは上昇される。たとえばＰＥＲが低すぎる場合、目標ＳＩＲは、特定の移動局によって生成される干渉を削減するように低下される。ＰＥＲを目標閾値未満に維持するための目標ＳＩＲの調整は、外側ループ電力制御と呼ばれる場合もある。内側ループ電力制御は、目標ＳＩＲに従って、移動局の伝送電力を調整する。内側ループおよび外側ループ電力制御は、優れたシステム性能を達成するように、同時に操作される。基地局の電力制御部分２２が、外側ループ電力制御を担当する。
【００１５】
ＰＥＲ値は、外側ループ電力制御用に使われるパラメータの一例である。いくつかの状況下では、ＰＤＣＨ（すなわち、トラフィック・チャネル）におけるＰＥＲの直接測定を遂行することができる。しかし、パケットを全く入手することができず、基地局の電力制御部分がＰＥＲを直接測定することができないときがある。このような状況下では、外側ループ電力制御に障害が起きている可能性がある。
【００１６】
さらに考慮すべきことは、１ｘＥＶ−ＤＶにおけるＲ−ＰＤＣＨには、異なるアプリケーション用に設計された４通りのモードがあることである。たとえば、ブースト・モードが、遅延に敏感なアプリケーション用に設計される。ブースト・モードにおいて、パケットは、標準モード用の電力設定より高い電力で送信される。こうすることにより、一度目の伝送の成功の確率が高まり、再伝送遅延が削減される。その結果、ＨＡＲＱ合成の後のＰＥＲは通常、ブースト・モードでは非常に小さい。ＰＥＲは、たとえば０．１％未満であり得る。このような状況下では、入手可能な受信パケットがある場合でさえも、ＰＥＲを直接計算することが難しい。
【発明の開示】
【発明が解決しようとする課題】
【００１７】
本発明は、トラフィック・チャネル条件が、満足または信頼できる結果を以前開発された技術が提供することができないような場合であっても、外側ループ電力制御を維持する必要性に対処する。
【課題を解決するための手段】
【００１８】
通信方法の一例は、第１のトラフィック・チャネル条件があるとき、他の少なくとも１つのチャネルの、選択された少なくとも１つの出力に基づいて、トラフィック・チャネル用の外側ループ電力制御の閾値を判定することを含む。
【００１９】
一例では、第１のトラフィック・チャネル条件は、トラフィック・チャネル上のデータ伝送量が、選択された閾値未満であること、またはトラフィック・チャネル上の伝送モードが、通常モード以外のモードであることの少なくとも一方を含む。
【００２０】
一例では、他のチャネルは、トラフィック・チャネルに関連づけられたパイロット・チャネルである。パイロット・チャネルからの少なくとも１つの出力は、トラフィック・チャネルに、パケット・エラー・レートを推定するための基準を与える。推定されたパケット・エラー・レートは、どのように外側ループ電力制御の閾値を設定するか判定するための基準を与える。
【００２１】
一例は、異なる第２のトラフィック・チャネル条件が存在するとき、トラフィック・チャネルから選択された出力を使用することを含む。一例では、トラフィック・チャネルのパケット・エラー・レートが判定され、外側ループ電力制御の閾値の設定用に使われる。トラフィック・チャネルの第１または第２の条件が存在するかどうかの判定により、閾値を設定するための適切な基準の選択が可能になる。
【００２２】
以下の詳細な説明から、本発明の様々な特徴および利点が、当業者には明らかであろう。詳細な説明に伴う図面は、以下のように簡潔に説明することができる。
【発明を実施するための最良の形態】
【００２３】
図１は、通信システム２０の選択部分を概略的に示す。この例では、ワイヤレス・データ通信用に使われる無線ネットワーク・コントローラの一部である外側ループ電力制御部分２２が、トラフィック・チャネル上の目標パケット・エラー・レート（ＰＥＲ）を達成するように、閾値を設定する。閾値の一例は、信号対ノイズ比（ＳＩＲ）を含む。移動局は、公知の技術を用いて、信号対ノイズ比を閾値と比較し、伝送電力を、公知のやり方で応答可能に調整する。図に示す例は、閾値を設定する独自の方法を含む。
【００２４】
受信機部分２４であるＲ−ＰＤＣＨが、トラフィック・チャネル上のデータ・パケットを公知のやり方で受信する。受信機部分２４は、パケットのいずれかがエラーを含むかどうかの検出を含む公知のやり方で、受信されたパケットを処理する。エラー・イベント情報は、電力制御部分２２に与えられる。
【００２５】
図に示す例は、２つのトラフィック・チャネル・モード検出装置部分２６および２８を含む。どちらも、トラフィック・チャネルＰＤＣＨにおける伝送モードに関する情報を、電力制御部分２２に提供することができる。伝送モード例は、通常モードおよびブースト・モードを含み、こうしたモードはそれぞれ、１パケットに対する平均的伝送回数が異なる。この例におけるモード検出装置部分２８は、ベースバンド処理用に設計され、トラフィック・チャネルＰＤＣＨ上のデータをデコードして伝送モードを公知のやり方で判定するＡＳＩＣの一部である。概略的に示してある検出装置部分２６は、データ・パケットの到着率を用いて、伝送モードを判定する。
【００２６】
一例では、検出装置部分２６は、各受信パケットのタイム・スタンプを入手し、連続して受信されたパケットが到着する間の時間（すなわち、到着時間間隔）を判定する。検出装置部分２６は、判定された到着時間間隔を用いて、各パケットの平均伝送回数を推定する。パケット当りの伝送回数がほぼ１に近いとき、検出装置部分２６は、トラフィック・チャネルの伝送モードが、いわゆるブースト・モードである可能性が最も高いと判定する。パケットが最初の伝送で首尾よく受信される可能性を高めるブースト・モードでの、比較的高い伝送電力の使用により、このように判定される。パケットの伝送は、平均すると、比較的小さい伝送電力が使われる通常モードと比べて、ブースト・モードでは比較的繰り返されない。平均的パケット当りの伝送回数が、可能な最大数に近い場合、トラフィック・チャネルＰＤＣＨ上のデータ・フローは、通常または標準モードである可能性が最も高い。
【００２７】
図に示す例は、逆リンク・パイロット・チャネルＰＩＣＨ伝送を受信する受信機部分３２であるＲ−ＰＩＣＨも有する。受信機部分３２は、パイロット・シンボルを、公知のやり方で検出し処理する。パイロット・チャネルＰＩＣＨの、選択された少なくとも１つの出力は、受信機部分３２で識別される。一例では、パイロット・チャネルのノイズ・スペクトル密度に対する、チップ当りのエネルギーの比が、選択された出力であり、後で説明するように、トラフィック・チャネルＰＤＣＨの推定パケット・エラー・レートの判定に使われる。
【００２８】
移動局に関する情報は、チャネル品質インジケータ・チャネル受信機部分３２であるＲ−ＣＱＩＣＨおよびドップラー推定部分３４を使って判定される。一例では、ＣＱＩ情報は、公知のやり方で、移動局の移動速度を示す、フェージング・プロセスのドップラー周波数を推定するのに使用される。
【００２９】
推定装置部分４０は、電力制御部分２２に与えられる推定ＰＥＲを判定する。この例では、推定ＰＥＲは、少なくとも、パイロット・チャネルＰＩＣＨの選択された出力および推定部分３６からの推定ドップラー周波数に基づく。データ伝送に使われるトラフィック・チャネルＰＤＣＨのＰＥＲを推定するのに、パイロット・チャネルＰＩＣＨ出力を用いることにより、トラフィック・チャネルＰＤＣＨ上でのデータ伝送が、トラフィック・チャネルＰＥＲの直接測定を可能にするのに不十分な状況下でさえも、電力制御部分２２が、適切な外側ループ電力制御の閾値を設定することが可能になる。
【００３０】
図２は、データ伝送用に使われるトラフィック・チャネルなどのトラフィック・チャネルに対する外側ループ電力制御の閾値の判定に、別のチャネルからの少なくとも１つの出力を使用する一方法を要約したフロー・チャート図５０を含む。図２は、電力制御部分２２によって実施される機能を含む。
【００３１】
このプロセス例は、５２で始まり、ここで、目標ＳＩＲが設定される。ステップ５２は、電力制御の閾値を設定するデータをその間に分析するための、所望の外側ループ制御の時間間隔の設定も含む。一例では、この時間間隔は、各データ・パケット用のタイム・スロットより大幅に長い。時間間隔は、少なくとも、次の有用な期間において使用する、適切な閾値の設定に関する有意な判定を行うのに十分な程長い。本説明の利益を受ける当業者には、各自の特定の状況の要求を満たすのに、どのような制約が最もよく作用するかが理解されよう。
【００３２】
５４で、受信機部分２４から入手可能なトラフィック・チャネルＰＤＣＨ情報が、たとえば、トラフィック・チャネル上を、選択された時間間隔内で伝送されるデータ量を示す。５６で、このような情報が、データ伝送が起こったかどうか、および、トラフィック・チャネルＰＤＣＨについての情報から、電力制御の閾値を直接判定するのに、受信パケットの数が十分であるかどうか判定するのに用いられる。十分な数の受信パケットがある場合、モード検出装置部分２６または２８の一方から入手される伝送モード情報５８が、６０で分析される。伝送モードが、通常または標準モードである場合、プロセスは、外側ループ電力制御の閾値を判定する（すなわち、ＳＩＲ閾値を設定する）ために、トラフィック・チャネル情報を直接検討するモードで継続する。
【００３３】
６２で、電力制御部分２２が、パケット・エラーがあるかどうか判定する。６４で、電力制御部分２２は、５２で設定された外側ループ制御の時間間隔中での、トラフィック・チャネルＰＤＣＨ上のパケット・エラーの数を判定する。
【００３４】
時間間隔内のパケット・エラーの適正な数（すなわち、パケット・エラー・レート（ＰＥＲ））が、ある特定の状況の要求を満たすように、公知のやり方で選択される。この適正な数は、この例においてエラー閾値と見なされる。６６で、判定されたパケット・エラー数が、エラーの閾値と比較される。
【００３５】
パケット・エラーの数がエラーの閾値を超える場合、電力制御の閾値（すなわち、目標ＳＩＲ）が、６８で増加される。このような増加の量は、ある特定の状況の要求に依存し、本説明の利益を受ける当業者は、適正な増加を用いることができよう。パケット・エラーの数がエラーの閾値より少ない場合、電力制御の閾値が、公知のやり方で減少される。
【００３６】
プロセスは、７２で、次の外側ループ電力制御間隔に対して再度始まる。
トラフィック・チャネル条件が、トラフィック・チャネルＰＤＣＨ上でのパケット・エラー・レートの直接測定が電力制御の閾値の設定用に可能でもなく信頼することもできないようなものである場合、電力制御部分２２は、別の動作モードを用いる。この例では、電力制御部分は、外側ループ電力制御の閾値の判定のために、他の少なくとも１つのチャネルの、選択された少なくとも１つの出力を用いる。たとえば、５６での判定が、受信パケットの数が、ＰＥＲを判定するためにエラーを直接カウントするのに不十分であることを示す場合、プロセスは、７６で示すステップに進む。一例では、制御時間間隔当り少なくとも１つのパケットが、十分と見なされる。本説明の利益を受ける当業者は、各自の特定の状況の要求を満たすための有意なＰＥＲカウントをもたらすように、パケットの適正数を選択することができよう。
【００３７】
あるいは、トラフィック・チャネルＰＤＣＨにおける伝送モードが、ブースト・モードまたは通常モード以外の別のモードの場合、プロセスは、６２のステップではなく７６のステップに進む。
【００３８】
７６で、電力制御部分２２は、トラフィック・チャネルに対して、推定装置部分４０によって、別のチャネルの出力に基づいて決定される推定制御パラメータの使用を含むモードに入る。一例では、推定装置部分４０は、パイロット・チャネルＰＩＣＨのＰＥＲを用いて、トラフィック・チャネルＰＤＣＨに対して等価ＰＥＲを判定する。この等価または推定ＰＥＲは、７８で与えられる。
【００３９】
８０で、電力制御部分は、推定または等価ＰＥＲを、目標数ＰＥＲと比較して、何個のパケットにエラーがあるか、有効に判定する。エラーがあるパケットの判定数が、８２でカウント閾値を超える場合、外側ループ電力制御の閾値が、６８で増加される。エラーがあるパケットの判定数が、カウント閾値未満の場合、閾値は、７０で減少される。
【００４０】
図に示す例では、電力制御の閾値を設定するモード例の少なくとも１つを利用している。第１のトラフィック・チャネル条件が存在する、すなわち、トラフィック・チャネル情報の直接考慮へ依拠することができないときは常に、電力制御部分２２は、パイロット・チャネルＰＩＣＨなど、別のチャネルからの対応する出力に基づく、トラフィック・チャネルの出力の推定を含む動作モードを使用することができる。一例では、両方のモードが同時に用いられる。このような例において、パイロット・チャネル出力に基づく推定ＰＥＲが、トラフィック・チャネルＰＤＣＨから直接入手される情報の信頼性に対する検査として使われる。
【００４１】
この時点で、トラフィック・チャネルＰＤＣＨ以外の別のチャネルからの出力を、等価なトラフィック・チャネルＰＥＲの判定に用いる一例を検討することが有用である。
【００４２】
畳込みコードまたはターボ・コードのデコード・エラー確率は、固有コード・レート、コード・ワード長、およびチャネル・ビット・エラー・レートの関数（Ｐｂ）である。チャネル・ビット・エラー・レートは、ノイズ・スペクトル密度に対する、ビット・エネルギーの比（Ｅｂ／Ｎｏ）および変調方式の関数である。対象となっている固有コードおよび変調方式に対して、デコード・エラー確率Ｐｅは、Ｅｂ／Ｎｏの関数として、畳込みコードに対しては、
Ｐｅ＝ｆ１（Ｅｂ／Ｎｏ）  （１）
と表すこともでき、ターボ・コードに対しては、
Ｐｅ＝ｆ１’（Ｅｂ／Ｎｏ）  （２）
と表すこともできる。
あるいは、Ｐｅは、Ｐｂの関数として、畳込みコードに対しては、
Ｐｅ＝ｆ２（Ｐｂ）  （３）
と表すこともでき、ターボ・コードに対しては、
Ｐｅ＝ｆ２’（Ｐｂ）  （４）
と表すこともできる。
【００４３】
デコード・エラー確率の閉形式解を分析し入手するのは特に難しい。代わりに、通常は上限が、畳込みコードまたはターボ・コードの性能を表すのに使われる。ＡＷＧＮチャネルにおけるＰｅに対する上限が調査されている。本説明は、ＡＷＧＮチャネルに対する公知の上限に依拠し、時間とともに変化する他のチャネルおよびＨＡＲＱの影響を含むような拡張を用いる。
【００４４】
ワイヤレス・フェージング・チャネルは、時間とともに変化する。電力制御は、チャネル変化の追跡を意図しており、受信信号強度を目標ＳＩＲ周辺で変動させる。さらに、ＨＡＲＱにより、受信パケットは、それぞれ異なる時間に伝送されたサブパケットからなる。すべてのこうした要因により、受信パケットのＥｂ／Ｎｏまたはビットエラー確率（Ｐｂ）が変化させられる。ＡＷＧＮチャネルに対するＰｅの公知の分析的限界は、このシナリオにおいてもはや適用可能でない。
【００４５】
したがって、可変Ｅｂ／ＮｏまたはＰｂ状況を考慮しながら限界の導出を含む、分析の拡張が有用である。ＡＷＧＮチャネル中の等価なＥｂ／Ｎｏが、一例では用いられる。固有コード・ワードおよび変調方式に対して、Ｐｅは、Ｌ次元ベクトルによって以下の式で表される可変Ｅｂ／ＮｏまたはＰｂの関数であると仮定する。
【００４６】
【数１】
2006109451.tif 000003
ＡＷＧＮチャネルに対して、Ｐｅは、式（１）または（２）で表される。等価なＥｂ／ＮｏまたはＰｂは、以下のように定義される。
【００４７】
【数２】
2006109451.tif 000004
言い換えると、等価なＥｂ／Ｎｏ（またはＰｂ）は、可変Ｅｂ／Ｎｏ（またはＰｂ）値を有するＰｅと同じＰｅを生成する、ＡＷＧＮチャネル中での等価な定数値である。この結果、可変Ｅｂ／Ｎｏ（またはＰｂ）に対するＰｅの分析が、等価なＥｂ／ＮｏまたはＰｂを見つけるタスクに変わる。
【００４８】
畳込みコードおよびターボ・コードに対する分析は異なるので、２つのタイプのコードに対して、Ｐｅを計算する関数を個別に検討することが有用である。
【００４９】
畳込みコードに対して、等価なＰｂまたはＥｂ／Ｎｏを計算する関数は、以下のように書き表される。
【００５０】
【数３】
2006109451.tif 000005
【００５１】
ターボ・コードに対して、等価なＥｂ／ＮｏまたはＰｂを計算する関数は、以下のように書き表される。
【００５２】
【数４】
2006109451.tif 000006
【００５３】
一例では、受信されたパイロット・シンボルとトラフィック・チャネルのＰＥＲとの間の関係が、ノイズ・スペクトル密度に対する、チップ当りのエネルギーのパイロット・チャネル比に基づいて決定される。図３を参照すると、フロー・チャート１４０が、この手法例を要約している。パイロット・チャネル・シーケンスは、１４２で検出される。１スロットの持続期間における、ノイズ・スペクトル密度に対する、チップ当りの平均エネルギーの比（Ｅｃ／Ｎｔ）は、公知の技術を用いて、パイロット・チャネルから認識することができる。この例では、平均Ｅｃ／Ｎｔは、トラフィック・チャネルＰＥＲの推定基準を与える、選択されたパイロット・チャネル出力である。
【００５４】
スロット索引ｉに対する平均Ｅｃ／Ｎｔは、１４４で決定される。１４６で、Ｋ個のスロットに対する平均Ｅｃ／Ｎｔが格納され、ここで、Ｋ＝４＊Ｎであり、Ｎは、１つのパケットに許可される最大伝送回数である。一例は、ＨＡＲＱの使用を含み、Ｎは、１つのパケットの再伝送回数である。
【００５５】
トラフィック・チャネルＰＥＲの推定は、パケットＩＤ  ｊ＝０である１４８で、ｉ番目のスロットのところで始まり、ｊは、パケットの受信シーケンス番号を表す。再伝送を行う例では、各パケットの到着時間間隔は定数ではない。１５０で、推定装置部分４０が、Ｅｃ／ＮｔのＮ個の値を読む。１５２で、Ｅｃ／ＮｔのＮ個の値は、トラフィック・チャネル上の対応する１つのＥｃ／Ｎｔに変換される。一例では、パイロット・チャネル（ＰＩＣＨ）に対するウォルシュ・コード拡散因子と、トラフィックまたはパケット・データ・チャネル（Ｒ−ＰＤＣＨ）に対する逆リンクに対するウォルシュ・コード拡散因子との比はＷである。図３の１５２での変換は、以下の式を用いて遂行することができる。
（Ｅｃ／Ｎｔ）ＰＤＣＨ＝Ｗ（Ｅｃ／Ｎｔ）ＰＩＣＨ  （１３）
【００５６】
一例では、エンコーダ・パケット当り最大Ｎ回の伝送が起こる。エンコーダ・パケットは、最大伝送回数に達した後、エラーと宣言される。コード化されたパケットは一例では、Ｎ個のサブパケットからなる。この例における図３のステップ１５２は、次元Ｎを有するＥｃ／Ｎｔのベクトル表現の形成を含み、各要素（Ｅｃ／Ｎｔ）ｎは、ｎ番目のサブパケットのＥｃ／Ｎｔを表す。ｉ番目のスロットで、特定のパケットの最大伝送回数に達していると仮定すると、パケットのベクトルＥｃ／ＮｔのＮ個の値は、以下のように表すことができる。
【００５７】
【数５】
2006109451.tif 000007
サブパケットの再伝送は、直前のサブパケット伝送の４スロット後なので、この例では、項（Ｎ−ｎ−１）に４を乗算する。
【００５８】
次に、１５４で、トラフィック・チャネル上の等価なＥｂ／Ｎｏが、Ｅｃ／Ｎｔベクトルから決定される。畳込みコードが使われる例において、式（９）は、等価なＥｂ／Ｎｏを与える。ターボ・コードが使われる例において、式（１１）は、等価なＥｂ／Ｎｏを与える。
【００５９】
等価なＥｂ／Ｎｏは次いで、畳込みコードを使う例において、式（１）への入力パラメータとして使われる。ターボ・コードを含む例に対して、等価なＥｂ／Ｎｏは、上記の式（２）への入力パラメータである。どちらの場合でも、その結果、トラフィック・チャネル上のｊ番目のパケットに対してＰｅを計算する。この計算は、図３の１５６で行われる。トラフィック・チャネルの推定ＰＥＲは次いで、上述した計算を完了することによって生じる。
【００６０】
図３の例において、次の１５８のステップは、ｊの値を増分し、プロセスを再度繰り返すためのものである。
【００６１】
やはり図３の例において、１５６での計算は、様々なエンコーダ・パケット・サイズに対してＡＷＧＮチャネルにおけるＰｅとＥｂ／Ｎｏの間の関係を与えるルックアップ・テーブル１６０の使用を含む。１５６での計算は、１６２での公知のドップラー推定技術の使用も含む。この例における推定は、１６４での、推定ＰＥＲのための適切なフィッティング関数調整を決定するのに用いられる。
【００６２】
一例では、フィッティング関数は、所与の期間における直接測定ＰＥＲを、同じ期間に対して、上述したばかりのアルゴリズムを用いて、推定ＰＥＲと比較する実証的分析から決定される。フィッティング関数はしたがって、何らかの調整が必要な場合は、推定ＰＥＲを、直接測定ＰＥＲに所望通りに厳密に対応させるための、後続の調整に有用である。一例では、フィッティング関数は、コード・タイプによって異なるＦ（．）と書き記される。このような例において、Ｐｅは、以下のように表すことができる。
Ｐｅ＝Ｆ（ｆ（Ｅｂ／Ｎｏ），ｃ）  （１５）
上式で、ｃは定数であり、様々なシナリオに合わせて調節可能であり得る。ｃは、たとえばドップラー周波数、パス・ダイバーシティなどのチャネル状態情報に基づいて調整することができる。この説明が与えられると、当業者は、各自の特定の状況の要求を満たすように、適切なフィッティング関数を選択することができよう。
【００６３】
本実施形態例は、システム容量の増加、リンク品質の改善、およびシステムの安定性向上という利点をもたらす。トラフィック・チャネルＰＤＣＨ以外の別のチャネルからの出力を用いて、外側ループ電力制御の閾値を判定することにより、より広範囲のトラフィック・チャネル条件下で、より一貫して信頼できる電力設定を提供することによってシステム性能が高まる。
【００６４】
上記の説明は、本質的に限定的ではなく、例示的である。本発明の本質から必ずしも逸脱しない、開示した例に対する変形形態および変更形態が、当業者には明らかであろう。本発明に与えられる法律上の保護範囲は、添付の特許請求の範囲を検討することによってのみ決定することができる。
【図面の簡単な説明】
【００６５】
【図１】通信システムの一例における外側ループ電力制御に有用な、選択部分を概略的に示す図である。
【図２】外側ループ電力制御の閾値を判定する方法の一例の要約を示すフロー・チャート図である。
【図３】トラフィック・チャネルのパケット・エラー・レートを推定する方法の一例を示すフロー・チャート図である。
【図１】
2006109451.tif 000008
【図２】
2006109451.tif 000009
【図３】
2006109451.tif 000010